(57)【要約】【課題】  従来の通信装置においては、共用器を通過することにより受信信号に通過ロスが生じる。【解決手段】  通信装置１００は、アンテナ１（第１のアンテナ）およびアンテナ８（第２のアンテナ）と、アンテナ１で受信された受信信号（第１の受信信号）を処理する受信部４（第１の受信部）と、アンテナ１から送信される送信信号を処理する送信部１０と、アンテナ１から受信部４および送信部１０へと至る経路中に設けられ、第１の受信信号と上記送信信号とを分離する共用器２（分離部）と、アンテナ８で受信された受信信号（第２の受信信号）を処理する受信部９（第２の受信部）と、第１および第２の受信信号の受信状態が良好なほど高い値を示す受信特性値が所定の基準値以上であるかどうかを判断し、受信特性値が上記基準値以上であると判断したとき、受信部４の機能を停止させる制御部７と、を備えている。【選択図】  図１
2006287440.tif 000002
【特許請求の範囲】
【請求項１】
第１および第２のアンテナと、
前記第１のアンテナで受信された第１の受信信号を処理する第１の受信部と、
前記第１のアンテナから送信される送信信号を処理する送信部と、
前記第１のアンテナから前記第１の受信部および前記送信部へと至る経路中に設けられ、前記第１の受信信号と前記送信信号とを分離する分離部と、
前記第２のアンテナで受信された第２の受信信号を処理する第２の受信部と、
前記第１および第２の受信信号の受信状態が良好なほど高い値を示す受信特性値が所定の基準値以上であるかどうかを判断し、前記受信特性値が前記基準値以上であると判断したとき、前記第１の受信部の機能を停止させる制御部と、
を備えることを特徴とする通信装置。
【請求項２】
請求項１に記載の通信装置において、
前記第１の受信部に電力を供給する電源部を備え、
前記制御部は、前記電源部から前記第１の受信部への電力の供給を断つことにより、当該第１の受信部の機能を停止させる通信装置。
【請求項３】
請求項１または２に記載の通信装置において、
前記受信特性値は、受信信号品質値または受信信号レベル値である通信装置。
【請求項４】
第１および第２のアンテナと、前記第１のアンテナで受信された第１の受信信号を処理する第１の受信部と、前記第１のアンテナから送信される送信信号を処理する送信部と、前記第１のアンテナから前記第１の受信部および前記送信部へと至る経路中に設けられ、前記第１の受信信号と前記送信信号とを分離する分離部と、前記第２のアンテナで受信された第２の受信信号を処理する第２の受信部と、を備える通信装置における通信方法であって、
前記第１および第２の受信信号の受信状態が良好なほど高い値を示す受信特性値が所定の基準値以上であるかどうかを判断する判断ステップと、
前記判断ステップにおいて前記受信特性値が前記基準値以上であると判断されたとき、前記第１の受信部の機能を停止させる停止ステップと、を含むことを特徴とする通信方法。
【発明の詳細な説明】
【技術分野】
【０００１】
本発明は、通信装置および通信方法に関する。
【背景技術】
【０００２】
従来の通信装置としては、例えば特許文献１〜３に記載されたものがある。これらの文献に記載の通信装置おいては、ダイバーシティー方式が採用されている。すなわち、これらの通信装置は、複数のアンテナを備えており、それらのアンテナで受信された受信信号を適宜、選択・合成することにより、受信状態の向上を図っている。
【０００３】
例えば特許文献１の通信装置は、第１および第２のアンテナと、送信回路と、第１および第２の受信回路とを備えている。送信回路および第１の受信回路はデュプレクサ（共用器）を介して第１のアンテナに接続され、第２の受信回路は直接に第２のアンテナに接続されている。この通信装置においては、第１および第２の受信回路のうち受信状態が良い方が選択される。具体的には、受信状態が良い方の受信回路にのみ電力が供給され、他方への電力の供給は遮断される。
【特許文献１】特開２００２−１１１５５８号公報
【特許文献２】特開２００２−２９０２９６号公報
【特許文献３】特開２００４−２１５２４６号公報
【発明の開示】
【発明が解決しようとする課題】
【０００４】
上述した特許文献１の通信装置においては、第１の受信回路の受信状態が第２の受信回路に比べて良好な場合、第１の受信回路が選択されることになる。しかしながら、第１のアンテナから第１の受信回路へと伝送される受信信号は、共用器を通過しなければならず、それにより通過ロスが生じる。かかる通過ロスは、通信装置における受信性能の劣化につながってしまう。
【課題を解決するための手段】
【０００５】
本発明による通信装置は、第１および第２のアンテナと、上記第１のアンテナで受信された第１の受信信号を処理する第１の受信部と、上記第１のアンテナから送信される送信信号を処理する送信部と、上記第１のアンテナから上記第１の受信部および上記送信部へと至る経路中に設けられ、上記第１の受信信号と上記送信信号とを分離する分離部と、上記第２のアンテナで受信された第２の受信信号を処理する第２の受信部と、上記第１および第２の受信信号の受信状態が良好なほど高い値を示す受信特性値が所定の基準値以上であるかどうかを判断し、上記受信特性値が上記基準値以上であると判断したとき、上記第１の受信部の機能を停止させる制御部と、を備えることを特徴とする。
【０００６】
また、本発明による通信方法は、第１および第２のアンテナと、上記第１のアンテナで受信された第１の受信信号を処理する第１の受信部と、上記第１のアンテナから送信される送信信号を処理する送信部と、上記第１のアンテナから上記第１の受信部および上記送信部へと至る経路中に設けられ、上記第１の受信信号と上記送信信号とを分離する分離部と、上記第２のアンテナで受信された第２の受信信号を処理する第２の受信部と、を備える通信装置における通信方法であって、上記第１および第２の受信信号の受信状態が良好なほど高い値を示す受信特性値が所定の基準値以上であるかどうかを判断する判断ステップと、上記判断ステップにおいて上記受信特性値が上記基準値以上であると判断されたとき、上記第１の受信部の機能を停止させる停止ステップと、を含むことを特徴とする。
【０００７】
上記通信装置においては、受信特性値が基準値以上であるとき、制御部により、第１の受信部の機能が停止される。また、上記通信方法においては、判断ステップにおいて受信特性値が上記基準値以上と判断されたとき、停止ステップにより、第１の受信部の機能が停止される。この第１の受信部は、分離部を通過した第１の受信信号を入力する受信部である。このように、第１および第２の受信部のうち分離部が設けられた方の受信部である第１の受信部の機能を停止させ、もう一方の第２の受信部を選択することにより、分離部における通過ロスの影響を排除することができる。
【発明の効果】
【０００８】
本発明によれば、高い受信性能を有する通信装置および通信方法が実現される。
【発明を実施するための最良の形態】
【０００９】
以下、図面を参照しつつ、本発明による通信装置および通信方法の好適な実施形態について詳細に説明する。なお、図面の説明においては、同一要素には同一符号を付し、重複する説明を省略する。
【００１０】
図１は、本発明による通信装置の一実施形態を示すブロック図である。通信装置１００は、アンテナ１（第１のアンテナ）およびアンテナ８（第２のアンテナ）と、アンテナ１で受信された受信信号（第１の受信信号）を処理する受信部４（第１の受信部）と、アンテナ１から送信される送信信号を処理する送信部１０と、アンテナ１から受信部４および送信部１０へと至る経路中に設けられ、第１の受信信号と上記送信信号とを分離する共用器２（分離部）と、アンテナ８で受信された受信信号（第２の受信信号）を処理する受信部９（第２の受信部）と、第１および第２の受信信号の受信状態が良好なほど高い値を示す受信特性値が所定の基準値以上であるかどうかを判断し、受信特性値が上記基準値以上であると判断したとき、受信部４の機能を停止させる制御部７と、を備えている。
【００１１】
さらに、通信装置１００は、受信部４に電力を供給する電源部３、アナログベースバンド処理部５、デジタルベースバンド処理部６、アナログベースバンド処理部１１、マイク１２、表示部１３およびスピーカ１４を備えている。
【００１２】
なお、同図においては、説明を簡単にするため無線通信用のアンテナをアンテナ１およびアンテナ８の２本と限定しているが、無線通信用のアンテナは３本以上設けられていてもよい。また、通信装置１００は、携帯電話またはＰＤＡ等の移動通信端末であってもよく、固定送受信装置であってもよい。
【００１３】
アンテナ１は、送受信を兼用するアンテナである。アンテナ１で受信された高周波信号（第１の受信信号）は、共用器２を通って受信部４へと伝送される。共用器２は、例えばサーキュレータまたはデュプレクサである。受信部４には、電源部３から電力が供給される。制御部７は、その電力供給をＯＮ／ＯＦＦすることによって、受信部４の動作をＯＮ／ＯＦＦさせることが可能である。すなわち、制御部７は、電源部３から受信部４への電力の供給を断つことにより、受信部４の機能を停止させることができる。
【００１４】
受信部４は、第１の受信信号をアナログベースバンド信号へ変換し、その信号をアナログベースバンド処理部５へと送る。アナログベースバンド処理部５は、アナログベースバンド信号をデジタルベースバンド信号に変換し、その信号をデジタルベースバンド処理部６へと送る。
【００１５】
アンテナ８は、受信用のアンテナである。アンテナ８で受信された高周波信号（第２の受信信号）は、受信部９へと伝送される。受信部９は、第２の受信信号をアナログベースバンド信号へ変換し、その信号をアナログベースバンド処理部１１へと送る。アナログベースバンド処理部１１は、アナログベースバンド信号をデジタルベースバンド信号に変換し、その信号をデジタルベースバンド処理部６へと送る。
【００１６】
デジタルベースバンド処理部６は、アナログベースバンド処理部５，１１から送られてきたデジタルベースバンド信号を合成し、合成された信号に対し復調処理を行う。すなわち、デジタルベースバンド処理部６は、第１および第２の受信信号を合成し、受信利得を増加させる受信ダイバーシティー機能を有している。ただし、後述するようにダイバーシティー機能が無効とされた場合、デジタルベースバンド処理部６は、アンテナ８で受信された第２の受信信号に対してのみ復調処理を行うこととなる。
【００１７】
また、デジタルベースバンド処理部６は、復調処理を行うことにより受信信号品質の解析と受信信号レベルの計測とを行う。デジタルベースバンド処理部６は、受信信号品質の解析結果として受信信号品質値を生成するとともに、受信信号レベルの計測結果として受信信号レベル値を生成する。これらの復調信号、受信信号品質値および受信信号レベル計測値は、制御部７へと送られる。
【００１８】
なお、上述の受信信号品質値および受信信号レベル値は、第１および第２の受信信号の受信状態が良好なほど高い値を示す受信特性値である。つまり、受信信号品質が高いほど受信信号品質値が高い値となり、受信信号レベルが高いほど受信信号レベル値が高い値となる。
【００１９】
制御部７は、予め設定された受信信号品質基準値とデジタルベースバンド処理部６にて得られた受信信号品質値とを比較する機能、および予め設定された受信信号レベル基準値とデジタルベースバンド処理部６にて得られた受信信号レベル値とを比較する機能を有しており、それらの比較結果に応じて受信部４への電力供給をＯＮ／ＯＦＦせしめる機能を有している。
【００２０】
例えば、制御部７は、受信信号品質値が受信信号品質基準値以上であるかどうかを判断し、受信信号品質値が受信信号品質基準値以上であると判断したとき、電源部３から受信部４への電力の供給を断つことにより、受信部４の機能を停止させる。
【００２１】
さらに、制御部７は、マイク１２より入力される音声信号をデジタル信号に変換した後にデジタルベースバンド処理部６へと送る機能と、デジタルベースバンド処理部６より出力される信号を表示可能な信号へ変換し表示部１３へと送る機能と、デジタルベースバンド処理部６より出力される信号をオーディオ帯信号へと変換した可聴信号をスピーカ１４へと送る機能とを有している。
【００２２】
デジタルベースバンド処理部６によりデジタル信号に変換された音声信号やデータ信号は、アナログベースバンド処理部５において変調用信号へ変換される。送信部１０は、変調処理を行うことにより搬送波信号を変調した後に、共用器２を通じてアンテナ１へと送る。
【００２３】
次に、本発明による通信方法の一実施形態として、通信装置１００の動作を説明する。制御部７には、受信信号品質値および受信信号レベル値それぞれの基準値が設定されている。制御部７は、デジタルベースバンド処理部６より出力される受信信号品質値および受信信号レベル値をそれぞれの基準値と比較し、その結果に応じて電源部３のＯＮ／ＯＦＦを切り換えることが可能である。
【００２４】
なお、電源部３をＯＮ／ＯＦＦするか否かは、受信信号品質値の比較結果のみで判断してもよく、受信信号レベル値の比較結果のみで判断してもよく、受信信号品質値の比較結果および受信信号レベル値の比較結果の両方により判断してもよい。これらのうち何れの方法で判断するかは、予め任意に設定することができる。以下、受信信号品質値の比較結果のみで判断する場合を例にとり説明する。受信信号品質値の比較結果および受信信号レベル値の比較結果の両方により判断する場合、受信信号品質値がその基準値以上であり、且つ受信信号レベル値がその基準値以上であるときに、電源部３がＯＦＦされる。
【００２５】
初期状態として、電源部３はＯＮしている、すなわち受信部４への電力供給が行われているものとする。アンテナ１，８で受信された高周波信号は、それぞれアナログベースバンド処理部５，１１においてデジタルベースバンド信号に変換された後、デジタルベースバンド処理部６へと送られる。
【００２６】
デジタルベースバンド処理部６においては、アナログベースバンド処理部５，１１から送られてきたデジタルベースバンド信号が合成された後、復調処理が行われるとともに、受信信号品質の解析が行われる。その解析の結果得られた受信信号品質値は、制御部７へと送られる。
【００２７】
制御部７においては、その受信信号品質値と予め設定された受信信号品質基準値との比較が行われ、受信信号品質値が上記基準値以上であるかどうかが判断される（判断ステップ）。また、当該判断ステップにおいて受信信号品質値が上記基準値以上であると判断されたとき、制御部７は、受信部４の機能を停止させる（停止ステップ）。それにより、デジタルベースバンド処理部６においては、受信ダイバーシティー機能が無効となり、アンテナ８で受信された受信信号のみが使用される。
【００２８】
一方、受信信号品質値が基準値を下回る場合には、電源部３のＯＮ状態が継続される。それにより、デジタルベースバンド処理部６においては、受信ダイバーシティー機能が有効となり、それぞれのアンテナ１，８で受信された受信信号が合成される。
【００２９】
続いて、本実施形態の効果を説明する。本実施形態においては、受信特性値が基準値以上であるとき、受信部４の機能が停止される。受信部４は、共用器２を通過した第１の受信信号を入力する受信部である。このように、受信部４，９のうち共用器２が設けられた方の受信部である受信部４の機能を停止させ、もう一方の受信部９を選択することにより、共用器２における通過ロスの影響を排除することができる。このため、高い受信性能を有する通信装置１００および通信方法が実現されている。
【００３０】
すなわち、本実施形態においては、受信信号品質値が基準値を下回る場合には受信ダイバーシティー機能を有効にすることで受信利得の増加を図っている。その一方、受信品質が基準値以上の場合には受信ダイバーシティー機能を無効にし、高周波信号線路の通過ロスの少ないアンテナ８と接続された経路のみ選択している。
【００３１】
共用器２は、使用する周波数帯や材質、大きさなどにより一定ではないが、一般的に１ｄＢから２ｄＢ程度の通過ロスを生じさせる。また、無線回路を構成するうえで共用器２の通過ロスは、そのまま受信感度の劣化に換算され、結果として通信装置１００の受信性能の劣化につながる。
【００３２】
また、ベースバンド信号を合成する方式の受信ダイバーシティー機能を有する通信装置においては、常時複数の受信部を動作させるため、受信部が１つだけ設けられた通信装置に比べて数倍の消費電力が必要となっていた。そのため、通信環境が良好な場合には受信ダイバーシティー機能を無効にすることにより不要な消費電流を削減することが可能となる。しかも、受信ダイバーシティー機能を無効する場合には、通過ロスの少ない、すなわち受信性能の優れた受信部（通信装置１００においては受信部９）を常に選択することにより、受信ダイバーシティー機能を無効しておく期間を長くすることが可能となる。これにより、通信装置全体の消費電流の削減効果が期待できる。
【００３３】
通信装置１００は、受信部４に電力を供給する電源部３を備え、制御部７は、電源部３から受信部４への電力の供給を断つことにより、受信部４の機能を停止させる。これにより、簡略な構成で、受信部４のオン／オフを切り換えることができる。
【図面の簡単な説明】
【００３４】
【図１】本発明による通信装置の一実施形態を示すブロック図である。
【符号の説明】
【００３５】
１，８    アンテナ
２    共用器
３    電源部
４，９    受信部
５，１１    アナログベースバンド処理部
６    デジタルベースバンド処理部
７    制御部
１０    送信部
１２    マイク
１３    表示部
１４    スピーカ
１００    通信装置
【図１】
2006287440.tif 000003